(57)【要約】【課題】係合子のガタ付きを抑えて摺動体の往復動案内時の異音発生を防止し、良好な往復動案内が行える魚釣用リールを提供することを目的とする。【解決手段】ハンドル２に連動して回転する回転軸１１の外周に形成した往復螺旋溝１１ａに、摺動体１２内に保持される係合子１４を係合させてハンドル２の回転運動を直線往復動に変換する往復動装置を備えた魚釣用リ−ルにおいて、係合子１４を弾性部材１６を介して摺動体１２内に保持したことを特徴とする。【選択図】        図３
2004267035.tif 000002
【特許請求の範囲】
【請求項１】
ハンドルに連動して回転する回転軸の外周に形成した往復螺旋溝に、摺動体内に保持される係合子を係合させてハンドルの回転運動を直線往復動に変換する往復動装置を備えた魚釣用リ−ルにおいて、前記係合子を弾性部材を介して前記摺動体内に保持したことを特徴とする魚釣用リ−ル。
【請求項２】
前記係合子の外周に環状の弾性部材が巻着されている請求項１に記載の魚釣用リ−ル。
【発明の詳細な説明】
【０００１】
【発明の属する技術分野】
本発明は、ハンドルの回転運動を摺動体の直線往復動に変換する往復動装置を備え、この往復動装置を介して往復動する摺動体でスプールに釣糸を巻回する魚釣用リ−ルの改良に関する。
【０００２】
【従来の技術】
例えば、ハンドル操作で連動回転する釣糸案内部を有するロータを介してスプールに釣糸を巻回するタイプの魚釣用スピニングリールの場合、先端にスプールを有するスプール軸の後部には、ハンドルの回転運動が往復動装置によって前後往復動に変換される摺動体が取り付けられている。そして、ハンドルを回転操作することによって前後動するスプールにロータの釣糸案内部を介して釣糸が平行巻き状態に巻回される。
このハンドルの回転運動を前後往復動に変換する往復動装置は、摺動体内に保持される係合子がハンドルに連動回転する回転軸の外周に形成された往復螺旋溝に係合することによって回転運動を直線往復運動に変換する変換装置として構成されている。（例えば、特許文献１及び特許文献２参照）
【０００３】
【特許文献１】
実公平４−１８０６号公報
【特許文献２】
特開平１１−２２５６３１号公報
【０００４】
【発明が解決しようとする課題】
上記従来技術のハンドルに連動回転する回転軸の往復螺旋溝に係合する係合子は、スプール軸の後部に取り付けられる摺動体の収容部に直接又はカラーを介して嵌合されており、係合子の先端係合部は回転軸の往復螺旋溝に多少の遊度を以って係合している。しかしながら、往復螺旋溝の交差部や端部のターン部で、往復動作動時に係合遊度の影響によって係合子の先端係合部と螺旋溝壁面とが互いに衝突して異音（コトコト音）が発生すると共に遊度の影響によって係合子の姿勢が安定せず、係合子の先端係合部や往復螺旋溝への摩耗、傷等が発生・促進し易い等の課題が残されていた。
【０００５】
本発明は斯かる実情に鑑み案出されたもので、係合子のガタ付きを抑えて良好な往復動案内が行える魚釣用リールを提供することを目的とする。
【０００６】
【課題を解決するための手段】
このような目的を達成するために、本発明は、ハンドルに連動して回転する回転軸の外周に形成した往復螺旋溝に、摺動体内に保持される係合子を係合させてハンドルの回転運動を直線往復動に変換する往復動装置を備えた魚釣用リ−ルにおいて、前記係合子を弾性部材を介して前記摺動体内に保持したことを特徴とする。
【０００７】
（作用）
ハンドルに連動回転する往復螺旋溝に係合する係合子を弾性部材を介して摺動体内に弾性保持して摺動体を往復動案内するように構成したので、係合子がガタ付きなく安定した姿勢状態で摺動体内に保持され、往復動案内時の異音（コトコト音）の発生が防止でき、良好な往復動案内が行える。
【０００８】
【発明の実施の形態】
以下、本発明に係わるハンドルを装着した魚釣用スピニングリールの実施形態について、添付図面を参照して具体的に説明する。
図１〜図４は、本発明に係わる第１の実施形態を示す図であり、図１は魚釣用スピニングリールの全体構成を示す正面図、図２は図１の往復動機構の拡大図、図３は図２のＡ−Ａ線に沿う断面図、図４は図３の主要部の拡大図である。
【０００９】
魚釣用スピニングリールのリール本体１内には、ハンドル２の回転操作によって回転駆動される駆動歯車３が設けられており、この駆動歯車３には、中空軸筒のピニオン４が噛合している。尚、このピニオン４は、軸受（図示しない）を介してリール本体１に回転可能に支持されている。
【００１０】
ピニオン４内には、スプール軸５が軸方向移動可能に挿通されており、このスプール軸５の先端には、釣糸（図示しない）が巻回されるスプール６が取り付けられている。又、ピニオン４には、このピニオン４と一体的に回転するロータ７が取り付けられており、このロータ７には、一対の支持アーム７ａが前方側に向けて突設されている。これら支持アーム７ａの前部には、夫々、支持部材８を介してベール９が釣糸放出状態と釣糸巻取り状態の両状態に回動可能に支持されている。尚、一方の支持部材８とベール９の端部との間には、釣糸案内機構を構成するラインローラ（図示しない）が回転可能に支持されている。
【００１１】
リール本体１の内部には、往復動機構（オシレーティング機構）１０を構成する、スプール軸５と平行に配置され且つ軸受（図示しない）を介してリール本体１に回転可能に支持された外周に往復螺旋溝１１ａが形成された回転軸（トラバースカム軸）１１と、スプール軸５の後端に固定され且つ回転軸１１に沿って前後方向に摺動する摺動体１２とが設けられている。
【００１２】
回転軸１１は、歯車１３を介してピニオン４に連結されており、一方、摺動体１２には、この回転軸１１の往復螺旋溝１１ａに常時係合している係合子１４が収容されている。又、摺動体１２は、止めネジ１５によってスプール軸５の後端に取り付け固定されている。摺動体１２には、スプール軸５の後端の非円形係合部５ａと同一の形状を成す係合孔１２ａが形成されており、この係合孔１２ａ内にスプール軸５の非円形係合部５ａを回り止め係合した状態で止めネジ１５を締結することによって摺動体１２をスプール軸５の後端に着脱可能に取り付け固定されている。尚、摺動体１２内に収容される係合子１４は、止めネジ１５で固定されるプレート１７で抜け止めされている。
【００１３】
このような往復動機構１０によれば、ハンドル２の回転操作によって駆動歯車３を介してピニオン４を回転させると、このピニオン４に噛合した歯車１３が回転し、この歯車１３の回転と共に回転軸１１が回転する。この時、回転軸１１の往復螺旋溝１１ａに係合した係合子１４が回転軸１１の回転に伴って前後動することによって摺動体１２は、回転軸１１に沿って前後動する。この結果、この摺動体１２に止めネジ１５を介して連結しているスプール軸５を前後動させることができる。この時、ロータ７が回転しつつスプール６が前後動することによって、釣糸は、釣糸案内機構のラインローラ（図示しない）を介してスプール６に片寄ることなく均等に巻回される。
【００１４】
本発明は、上述の如き従来と同様の構成に加え、以下の如き特徴を有する。
往復動機構１０を構成する摺動体１２と該摺動体１２の内部に収容保持される係合子１４との間に弾性部材１６が介在されて係合子１４のガタ付きを抑えて良好な往復動案内が行われるように構成されている。
第１の実施形態は、図２及び図３に示すように係合子１４の円筒部１４ａの外周に形成した周溝１４ｂに２本のリング状の弾性部材１６が巻着されている。
このように係合子１４の外周にリング状の弾性部材１６が巻着されると、摺動体１２の収容嵌合孔１２ｂに弾性部材１６を介して係合子１４が弾性保持されるので、ガタや衝撃が吸収されて係合子１４の姿勢が安定し、往復螺旋溝１１ａに係合案内される時の異音（コトコト音）の発生が防止でき、又、係合子１４の先端係合部や往復螺旋溝１１ａの摩耗、傷等の発生も抑制できて耐久性が向上する。尚、係合子１４の周溝１４ｂに巻着される弾性部材１６は、汎用性のある市販の弾性Ｏリングを使用することが出来るので経済的であると共に係合子１４に巻着して一体化（ユニット化）して取り扱うことが出来るので、製造段階の組み込み、分解性が容易で作業性が良い。更に、摺動体１２及び係合子１４の製作寸法バラツキも弾性部材１６で吸収できるので寸法管理が容易となる。
【００１５】
図５は、本発明の第２の実施形態を示し、摺動体１２の収容嵌合孔１２ｂに、内周に対向する一対の弾性突片１８ａを一体形成した合成樹脂製の環状体１８が嵌入されて、係合子１４の円筒部１４ａの外周を弾性保持するように構成されており、本実施形態においても上記第１の実施形態と同様の作用効果が得られると共に構成が簡素化されて製造上の取り扱いが容易となる。
【００１６】
図６は、本発明の第３の実施形態を示し、係合子１４の円筒部１４ａの外周に、複数の弾性突片１９ａを外周の軸方向に一体形成したゴム製の環状体１９を摺動体１２の収容嵌合孔１２ｂに嵌着して係合子１４を弾性保持するように構成したもので、本実施形態においても上記第１の実施形態と同様の作用効果が得られると共に構成が簡素化でき、製造段階の組み込み性も向上する。
図中の１９及び２０は、摺動体１２のスプール軸５を中心とした回転方向のガタを抑制して摺動体１２を前後方向に摺動案内するリール本体１に一体形成されたガイド部１９とリール本体１の前後に架設されたガイド棒２０である。
尚、本発明の実施形態として魚釣用スピニングリールで説明したが、リール本体のスプール前部の側板間に設けられてハンドルの回転に連動して左右に往復動するレベルワインド装置を備えた公知の両軸受リールのレベルワインド装置を構成する摺動体と係合子との間に弾性部材を介在しても良く、前述の実施例と同様の作用効果が得られる。
【００１７】
【発明の効果】
本発明によれば、ハンドルに連動回転する往復螺旋溝に係合する係合子を弾性部材を介して摺動体内に弾性保持して摺動体を往復動案内するように構成したので、係合子がガタ付きなく安定した姿勢状態で摺動体内に保持され、往復動案内時の異音等の発生が防止できて良好な往復動案内が行える。
【図面の簡単な説明】
【図１】本発明の第１の実施形態に係わる魚釣用スピニングリールの正面図。
【図２】図１の往復動機構の拡大図。
【図３】図２のＡ−Ａ線に沿う断面図。
【図４】図３の主要部の拡大図。
【図５】本発明の第２の実施形態を示す主要部の拡大図。
【図６】本発明の第３の実施形態を示す主要部の拡大図。
【符号の説明】
２    ハンドル
１１    回転軸
１１ａ  往復螺旋溝
１２    摺動体
１４    係合子
１６，１８，１９  弾性部材
【図１】
2004267035.tif 000003
【図２】
2004267035.tif 000004
【図３】
2004267035.tif 000005
【図４】
2004267035.tif 000006
【図５】
2004267035.tif 000007
【図６】
2004267035.tif 000008